(57)【要約】【課題】  外枠上端部に補助表示板を取付ける取付穴を新たに形成することなく、外枠上端部の強度を保持したまま補助表示板を取付ける取付構造を備えたブロー成形による看板立てを提供することを目的とする【解決手段】  ブロー成形によって中空状に形成された本体１０と、本体正面２０に表示板Aを係止する受け具４０と、受け具４０を本体正面２０に固定する固定ボルト４４、４４と、補助表示板Bを本体上部１１に取付ける取付構造と、からなり、この取付構造は、受け具４０、４０を固定する固定ボルト４４、４４と締結し得る開孔部６１、６１が形成された固定部６０と、固定部６０に固着され、補助表示板Bの脚部B1を嵌合し得る略筒状の保持部６２と、を有することを特徴とするものである。【選択図】  図１
2018189698.tif 000002
【特許請求の範囲】
【請求項１】
ブロー成形によって中空状に形成された本体と、本体正面に表示板を係止する受け具と、該受け具を本体正面に固定する固定ボルトと、補助表示板を本体上部に取付ける取付構造と、からなり、前記取付構造は、前記受け具を固定する前記固定ボルトと締結し得る開孔部が形成された固定部と、該固定部に固着され、補助表示板の脚部を嵌合し得る略筒状の保持部と、を有することを特徴とする看板立て。
【請求項２】
ブロー成形によって中空状に形成された本体と、本体正面に表示板を係止する受け具と、該受け具を本体正面に固定する固定ボルトと、補助表示板を本体上部に取付ける取付構造と、からなり、前記取付構造は、本体背面に本体上端まで連通して形成され、補助標示部の脚部を挿通し得る溝部と、前記受け具を固定する前記固定ボルトと締結し得る開孔部が形成された固定部と、該固定部から延設され、前記溝部の一部を覆うように形成された押え部と、を有することを特徴とする看板立て。
【発明の詳細な説明】
【技術分野】
【０００１】
本発明は、広告・標識などの表示板を路上に設置する看板立てであり、とりわけ、ブロー成形による道路工事用看板立て上部に補助表示板の取付構造を有するものに関する。
【背景技術】
【０００２】
従来、路上に自立させる道路工事用看板は、金属製パイプの組立によって枠体を形成し、この枠体に表示板を固定して周囲に道路工事中であることの情報を表示するものである。また、この枠体を構成する金属製パイプの上端は、補助表示板の一つである道路標識の標示板を挿し込んで取り付けることで、道路工事現場周辺の交通規制などの情報を付加するものとして、慣用的に利用されている。
【０００３】
一方、上記の金属製パイプからなる道路工事用看板に比べて、錆、腐食等に対して耐用寿命の長い合成樹脂製の枠体からなる道路工事用標示板が提案されている（例えば、特許文献１参照）。さらに、この道路工事用標示板の枠体の左右上端には、補助標示板を取り付ける取付穴を有している（特許文献１の明細書段落００２３参照）。
【先行技術文献】
【特許文献】
【０００４】
【特許文献１】特開２００５−３２５５２７号公報
【発明の概要】
【発明が解決しようとする課題】
【０００５】
しかしながら、上記特許文献１に開示された発明は、合成樹脂製の枠体の左右上端に形成された補助標示板の取付穴を有しているが、この合成樹脂製の外枠上端部に設けられた取付穴では、金属製パイプの枠体からなる補助標示板の重量によって生じる負荷に対して耐久性を有しておらず、枠体が破損する恐れがある。
【０００６】
したがって、本発明は、外枠上端部に補助表示板を取付ける取付穴を新たに形成することなく、外枠上端部の強度を保持したまま補助表示板を取付ける取付構造を備えた看板立てを提供することを目的とするものである。
【課題を解決するための手段】
【０００７】
本発明の看板立ては、上記課題に鑑み、ブロー成形によって中空状に形成された本体と、本体正面に表示板を係止する受け具と、該受け具を本体正面に固定する固定ボルトと、補助表示板を本体上部に取付ける取付構造と、からなり、前記取付構造は、前記受け具を固定する前記固定ボルトと締結し得る開孔部が形成された固定部と、該固定部に固着され、補助表示板の脚部を嵌合し得る略筒状の保持部と、を有することを特徴とするものである。
【０００８】
また、本発明の看板立ては、ブロー成形によって中空状に形成された本体と、本体正面に表示板を係止する受け具と、該受け具を本体正面に固定する固定ボルトと、補助表示板を本体上部に取付ける取付構造と、からなり、前記取付構造は、本体背面に本体上端まで連通して形成され、補助標示部の脚部を挿通し得る溝部と、前記受け具を固定する前記固定ボルトと締結し得る開孔部が形成された固定部と、該固定部から延設され、前記溝部の一部を覆うように形成された押え部と、を有することを特徴とするものである。
【発明の効果】
【０００９】
請求項１又は２記載の発明によれば、ブロー成形による合成樹脂製の看板立てに対して、新たに取付孔を設けることなく、補助表示板の脚部を保持部に挿し込むこと、或いは、本体の上端まで連通した溝部に挿し込み押え部で押えることで、看板立ての本体上部に補助表示板を取付けることができるとともに、表示板を係止する受け具を固定する固定ボルトの先端に補助表示板を保持する保持部を固定することで、より強固で安定して補助表示板を取付けることが可能である。
【図面の簡単な説明】
【００１０】
【図１】図１は、本発明の実施形態の看板立てを示す分解斜視図である。
【図２】図１の看板立てを示す斜視図及び取付構造を示す背面側からみた部分拡大斜視図である。
【図３】図１の取付構造を示す固定ボルトの中心軸で切断した部分断面図である。
【図４】図１の背面図である。
【図５】他の実施形態における取付構造を示す背面側から見た部分拡大斜視図である。
【発明を実施するための形態】
【００１１】
以下、本発明に係る看板立ての実施形態を、図面に基づいて詳細に説明する。図１は本発明の実施形態に係る看板立て１の分解斜視図、図２は看板立て１の斜視図及び取付構造を示す背面側からみた部分拡大斜視図、図３は取付構造を示す固定ボルト４４、４４の中心軸で切断した部分断面図、図４は取付構造を示す分解斜視図、図５は他の実施形態における取付構造を示す部分拡大斜視図である。なお、本実施形態において、表示板Aは、「工事中」や「通行止め」等の文字、或いは、それらを示す記号、マークなどの表示が記載された鉄板であり、補助表示板Bは、上述した表示板Aの表示情報に対して、情報を付加する道路標識などの表示が記載された鉄板を金属製パイプの枠体に固定したものである。
【００１２】
看板立て１は、図１から図３に示すように、ブロー成形によって中空状の扁平に形成された本体１０と、薄板状の表示板Aを本体正面２０に係止する係止手段と、補助表示板Bを本体１０に取付ける取付構造と、後方脚部５０を収容し得るように本体背面３０に形成された溝部３３と、からなるものである。
【００１３】
本体正面２０は、表示板Aを配置する平板部２１と、平板部２１を囲むように本体正面２０の周縁に形成された枠部２２と、からなり、この枠部２２には、平板部２１に配置された表示板Aを係止する受け具４０と、この受け具４０を固定ボルト４４、４４で固定し得るボルト孔２４、２４が形成された座部２３、２３と、を有するものである。この座部２３、２３は、枠部２２の上縁中央、下縁中央、側縁などに適宜に複数配置され、この受け具４０の固定片４１が固定され得るように、平板部２１よりも低い段状に形成される。
【００１４】
また、この座部２３、２３に固定される受け具４０は、固定ボルト４４、４４を挿通し得るボルト孔４２、４２を有する固定片４１と、この固定片４１から段状に延設され、表示板Aの周縁を押えつけて係止し得る係止部４３と、から形成される。
【００１５】
本体背面３０は、図３、図４に示すように、金属製パイプで形成された後方脚部５０を収容し得るように、本体背面３０の長手方向に上部から下端まで連通して形成された左右２つの溝部３３、３３と、本体正面２０の座部２３、２３の反対側の位置に形成され、固定ボルト４４、４４を締結するナット４５、４５を嵌合するナット嵌合部３１、３１、とからなるものである。このナット嵌合部３１、３１周辺は、固定ボルト４４、４４の長さに応じて適切な厚みとなるように、凹部３２、３２を形成することが好ましい。なお、この後方脚部５０の上部を溝部３３、３３に回動自在に軸支させることで、後方脚部５０を溝部３３、３３に収容することが好ましい。
【００１６】
また、上述した構成に加え、本体１０は、本体上部１１と、本体下部１２と、をそれぞれ別体でブロー成形され、この本体上部１１と本体下部１２とを連結する連結構造を有するものからなるものである。この連結構造は、本体上部１１と本体下部１２とが対向する位置に、それぞれ本体１０の厚み1/2Tの係合凸部１４及び係合凹部１５を形成し、一方の係合凹部１５と、他方の係合凸部１４と、を係合して位置決めした後、固定ボルト１７で固定して連結するものである。
【００１７】
また、この本体下部１２は、本体上部１１の平板部２１、枠部２２、連結構造（係止凸部１４、係止凹部１５）などの共通する形状からなるため、本体上部１１をブロー成形する金型に加え、前方脚部１３の形状の金型を入れ子式に適宜変更することでブロー成形されるものであり、新たに本体下部１２のための金型全体を用意する必要がなくなり、生産コストを削減することが可能である。また、この本体上部１１、及び、本体下部１２は、強度を有したまま、軽量化するために、適宜に正方形状の複数の開孔部１８、１８や窪み部を形成することが好ましい。
【００１８】
また、この本体１０は、本体上部１１の左右両側縁中央部分と、本体下部１２の左右両側縁中央部分と、に形成された貫通孔１９、１９を有することが好ましい。この貫通孔１９、１９は、風によって看板立て１が飛ばされないようにしっかりと紐で縛ることで固定するためのものであるとともに、本体上部１１と本体下部１２とに分離して積み重ねた状態に保管や輸送に対して、それぞれの重心位置近傍の把持部となり、保管および輸送をより容易にすることが可能である。
【００１９】
次に、上述した構成からなる本体上部１１に補助表示板Bを取り付けるための取付構造について説明する。
【００２０】
この取付構造は、図２、図３に示すように、受け具４０、４０を座部２３、２３に締結固定する固定ボルト４４、４４と、この固定ボルト４４、４４の先端付近を挿通しナット６４、６４で締結することが可能な開孔部６１、６１を有する平板状の固定部６０と、この固定部６０に固着され、補助表示板Bの脚部B1と嵌合し得るように上方が開口した略筒状の保持部６２と、からなり、固定ボルト４４、４４は、本体１０の座部２３、２３から本体背面３０までの厚み以上の長さを有するものである。また、固定ボルト４４、４４を固定する開孔部６１、６１は、左右どちらの本体背面３０側の側縁に取付け得るように、開孔部６１、６１を複数設けることが好ましい。
【００２１】
また、他の実施形態として、図５に示すように、本体背面３０に形成された溝部３３、３３の一部を覆う程度のよこ幅を有する平面形状（あるいは、湾曲形状）の押え部６３、６３を有するとともに、本体１０の上端まで連通する溝部３３、３３に形成することで、この溝部３３、３３に補助表示板Bの脚部B1を嵌挿し、押え部６３、６３で押えて保持するようにして、本体１０の上端に補助表示板Bを取付けてもよい。
【００２２】
したがって、本実施形態による看板立て１は、ブロー成形による合成樹脂製の看板立て１に対して、新たに取付孔を設けることなく、補助表示板Bの脚部B1を保持部６２、或いは、本体１０の上端まで連通した溝部３３、３３に挿し込み、押え部６３、６３で押えることで、看板立て１の本体上部１１に補助表示板Bを取付けることが可能である。また、その表示板Aを係止する受け具４０を固定する固定ボルト４４、４４の先端に固定部６０、６０を固定することで、より強固で安定して補助表示板Bを取付けることが可能である。
【００２３】
上記の実施形態では本発明の好ましい実施形態を例示したが、本発明は上記の実施形態に限定されるものではなく、特許請求の範囲に記載した範囲内で改善や変更が可能である。例えば、本発明の看板立ては、長手方向を横位置に使用することも可能であり、本体上部１１を本体左側構造と、本体下部１２を本体右側構造と、することも可能である。
【符号の説明】
【００２４】
１…看板立て、A…表示板、B…補助表示板、B1…脚部、10…本体、11…本体上部、12…本体下部、13…前方脚部、14…係止凸部、15…係止凹部、16…ボルト孔、17…固定ボルト、18…開孔部、19…貫通孔、20…本体正面、21…平板部、22…枠部、23…座部、24…ボルト孔、30…本体背面、31…ナット嵌合部、32…凹部、33…溝部、40…受け具、41…固定片、42…ボルト孔、43…係止部、44…固定ボルト、45…ナット、50…後方脚部、60…固定部、61…開孔部、62…保持部、63…押え部、64…ナット、T…本体厚み
【図１】
2018189698.tif 000003
【図２】
2018189698.tif 000004
【図３】
2018189698.tif 000005
【図４】
2018189698.tif 000006
【図５】
2018189698.tif 000007